(57)【要約】【課題】低出力の小形チップタイプの受発光素子を採用して、受発光素子間の距離をかせげるようにする。【解決手段】基板３１上に、チップタイプの発光素子３２と受光素子３３とを対向させるように面状に実装する。基板３１上に光を導く枠状の導光体２１が装着される。導光体２１は一体形成され、その外周に光の拡散及び回り込みを防止して伝達ロスをなくす多数のスリット２２が形成され、スリットによって発光部１５及び受光部１６を形づくる。受発光部１５、１６の端面には反射部２３が形成され、発光部１５の下面から発光素子３２の光を入射し、受光部１６の下面から受光素子３３に受光できるようにしてある。受発光部１５、１６の途中に導光体２１への外乱光の侵入を軽減する空隙部２５を形成し、空隙部２５の一面を曲面２６で形成して受発光部１５、１６に光を集光する集光部２４を形成する。【選択図】図１
2004272931.tif 000002
【特許請求の範囲】
【請求項１】
光学式タッチパネル表面の周囲に装着され使用光の波長に対して透明な枠状の導光体であって、
発光素子からの光を導いて対向する受光部へ放射する発光部と、該発光部からの光を入射して受光素子へ導く受光部とを複数対一体形成し、
少なくとも発光部と受光部との境界に発光部から受光部への光の回り込みを防止するスリットを形成し、
上記発光部に受光部へ放射する光を集光し、上記受光部に受光素子へ導く光を集光する集光部をそれぞれ一体に設けたことを特徴とする導光体。
【請求項２】
請求項１に記載の導光体おいて、該導光体にさらに、
発光部の下面に設けた発光素子から発光部に入射した光を反射して対向する受光部に向ける反射部、及び受光部に入射した光を反射して受光部の下面に設けた受光素子に向ける反射部をそれぞれ一体に設けた導光体。
【請求項３】
請求項１または２に記載の導光体において、材質がアクリル樹脂、またはＡＢＳ樹脂、またはポリカーボネートという赤外光に対して透明な樹脂である導光体。
【請求項４】
複数個の発光素子と受光素子とを対向させるように光学式タッチパネル表面の周囲に配置して、発光素子から受光素子に到る光を遮光することにより物体の位置または有無を検出する光学的位置検出装置において、
上記光学式タッチパネル表面の周囲に枠状に取り付けられ、光学式タッチパネル表面の周囲に配置される上記複数個の発光素子と受光素子とをチップタイプで構成して、これらを面状に実装した基板と、
該基板上に装着される請求項１ないし３のいずれかに記載の導光体とを備えた光学的位置検出装置。
【発明の詳細な説明】
【技術分野】
【０００１】
本発明は光学的タッチパネルに使用する導光体及び光学的位置検出装置に係り、特に、受発光量は少ないが、部品の実装コスト、装置厚みに有利になるチップタイプの受発光素子の使用を可能とし、装置の省電力化、耐外来ノイズ化、さらには大型サイズ化をも可能にしたものに関する。
【背景技術】
【０００２】
図７に示すように、一対の発光素子２と受光素子３とを所定距離離間し、これを複数対配置させて検出パネル１を構成し、各一対の発光素子２と受光素子３を順次走査して各発光素子２から対応する受光素子３に向けて発光された光の物体４による遮光の有無を検出することにより、光学的タッチパネル表面５上の物体４の位置または有無を検出する光学的位置検出装置が知られている。（例えば、特許文献１参照）
【０００３】
前記検出パネル１に配置される受発光素子２、３には、図８に示すような比較的大型で受発光量の大きな略紡錘形タイプの受発光素子６（図８（ａ）、（ｂ））や、側面に受発光部のあるサイドビュータイプの受発光素子７（図８（ｃ））といったリード端子８を有するディスクリートタイプが一般的に使用されている。
【０００４】
しかし、ステムに搭載されたベアチップが樹脂封止されて形成されたディスクリートタイプの受発光素子６、７は、受発光量が大きいため受発光素子間距離を大きくとれるが、リード端子８を基板９に設けた孔に挿通したうえで半田付けする必要があるため、基板９への取り付けが面倒であり、部品の実装コストがかかる。また、外径が大きいため、実装厚みが厚くなり、薄形化には不向きであり、装置を小形化できない。さらに電力消費が大きいため、ポータブル用途に利用できない。
【０００５】
そこで近年、小形用として、図９に示すような、受発光量の小さなチップタイプの受発光素子１０が使用され始めた。このチップタイプの受発光素子１０は、リードを有さず基板９に直に面実装できるため実装面及び薄形化に有利であり、また小形、小電力であるため装置の小形化が可能となり、電池駆動によってポータブル用途にも使用できる。また、ディスクリートタイプのようにリードを折り曲げなくても、取付け面を選ぶことができ、容易に受発光面を横向きにしたり（図９（ａ））、上向きにしたりすることができる（図９（ｂ））。
【０００６】
なお、通常、赤外の受発光素子を使用するが、可視光波長成分も無視できないため、実使用では、図１０に示すように可視光カットフィルタ１３を受発光素子１０の前面に配置したり、覆うような構造として、可視光に反応しないようにしている。
【０００７】
【特許文献１】特開平６−１３１１０５号公報
【発明の開示】
【発明が解決しようとする課題】
【０００８】
ところで、チップタイプの受発光素子には、同じチップタイプでも、凹面鏡１１にベアチップ１２を取り付けた凹面鏡付タイプの受発光素子（図９（ｃ））と、そうでないベアチップ１２のみからなるベアタイプ（図９（ｄ））の受発光素子とがある。凹面鏡付は光出力がある程度大きいため、小形装置に最適であるが、構造上非常にコスト高となる上、特に受発光量の大きいものを選別する必要がある。また、これに対して凹面鏡付でないものは、より小形で安価であり非常に魅力的であるが、凹面鏡付に比べて光出力がかなり弱いため、検出可能なレベルの光信号を得るために対向させる受発光素子間の距離を小さくせざるを得ず、そのような小さな距離では、小形位置検出装置といえども、必要な広さのタッチパネル面積を確保できない。特に、図９（ｂ）に示すように受発光面を上向きにして光を反射させ、対向する受発光素子に到るようにする場合には、光量のロスが発生するため、ベアタイプでは装置の実用化が難しかった。
【０００９】
さらに、凹面鏡付のものにせよ、凹面鏡付でないベアチップにせよ、チップタイプでは、ディスクリートタイプと比較して光量がかなり小さいので、発光素子から受光素子に到る光路で拡散や外乱の影響を大きく受けるため、それに耐える光出力の大きな発光素子や、受光能力の大きな受光素子を選別する必要が生じ、その選別作業が非常に面倒であり、歩留りも悪い。また、可視光カットフィルタを別個に必要とするため、厚み面でチップタイプのもつ利点が生かされない。そして、対向する受発光素子間の距離の長い大型装置への対応もできなかった。
【００１０】
本発明の目的は、上述した従来技術の問題点を解消して、受発光量は小さいが、実装コスト、装置厚みに有利な小形チップタイプの受発光素子を採用しながら、受発光素子間に十分な距離をとれ、実用に耐えることができるようにした導光体及び光学的位置検出装置を提供することにある。
【課題を解決するための手段】
【００１１】
第１の発明は、光学式タッチパネル表面の周囲に装着され使用光の波長に対して透明な枠状の導光体であって、発光素子からの光を導いて対向する受光部へ放射する発光部と、該発光部からの光を入射して受光素子へ導く受光部とを複数対一体形成し、少なくとも発光部と受光部との境界に発光部から受光部への光の回り込みを防止するスリットを形成し、上記発光部に受光部へ放射する光を集光し、上記受光部に受光素子へ導く光を集光する集光部をそれぞれ一体に設けたものである。第１の発明のように、発光素子からの光を導いて対向する受光部へ放射する発光部と、発光部からの光を入射して受光素子へ導く受光部とを複数対一体形成していると、これらを分離して形成する場合に比較して、構成を簡素化することができ、製造も容易となる。また、少なくとも発光部と受光部との境界にスリットを設けている場合には、発光部から出た光が導光体を通って反対側の受光部に回り込むのをスリットで規制することによって、回り込み光が受光素子と結合して誤動作するのを有効に防止することができる。この場合、スリットを各発光部間及び各受光部間にも設けると、発光部単位、及び受光部単位での光の拡散をスリットによって規制できるので、受光部から対応する発光部に到る光量の低下を有効に防止することができる。
【００１２】
また、発光部に受光部へ放射する光を集光し、受光部に受光素子へ導く光を集光する集光部をそれぞれ一体に設けていると、集光部により集光した光を発光部から受光部に効率よく放射できるので、光量を落とすことなく光を受光部に送ることができるとともに、発光部から対向する受光部に到る過程で拡散した光を受光部に入射した後、集光部により効率よく集光することができる。したがって、光出力の小さなチップタイプの発光素子を使用しても、特に光出力の大きな発光素子や、受光能力の大きな受光素子を選別する必要がない。また検出光量が大きくとれるので発光部と受光部間の距離を延ばすことができ、小形のチップタイプの受発光素子を使用しながら、大型サイズの光学的位置検出装置にも適用することができる。
【００１３】
第２の発明は、光学式タッチパネル表面の周囲に装着され使用光の波長に対して透明な枠状の導光体であって、発光素子からの光を導いて対向する受光部へ放射する発光部と、該発光部からの光を入射して受光素子へ導く受光部とを複数対一体形成し、少なくとも発光部と受光部との境界に発光部から受光部への光の回り込みを防止するスリットを形成し、上記発光部及び受光部に、発光部または受光部に侵入した外乱光を屈折させて発光部または受光部外に逃すために屈折率の異なる層を介在させるための空隙部を形成し、該空隙部の内側面を曲面にして、発光部側空隙部の一側に受光部へ放射する光を集光し、受光部側空隙部の一側に受光素子へ導く光を集光する集光部をそれぞれ一体に設けたものである。
【００１４】
第２の発明のように、発光部及び受光部に、発光部または受光部に侵入した外乱光を屈折させて発光部または受光部外に逃すために屈折率の異なる層を介在させるための空隙部を形成している場合には、空隙部が太陽光等の外乱光の入光を抑えるため、外乱光が、光源である発光素子に影響を与えたり、受光素子に受光されたりすることが少なくなるため、外乱光による誤動作を生じにくくすることができる。また、空隙部の内側面をレンズ効果をもつ曲面にして、発光部側空隙部の一側に受光部へ放射する光を集光し、受光部側空隙部の一側に受光素子へ導く光を集光する集光部をそれぞれ一体に設けている場合には、空隙部の形成と同時に集光部を形成することができるので、構成及び製造の簡素化を図ることができる。
【００１５】
第３の発明は、第２の発明において、上記発光部の発光面または受光部の受光面を構成する導光体の内側面に、外乱光を反射させて外乱光が発光部または受光部に入るのを防止するためのテーパを形成したものである。
【００１６】
第３の発明のように、導光体の発光部または受光部の内側面に、外乱光を反射させて外乱光が発光部または受光部に入るのを防止するためのテーパを形成している場合には、外乱光による誤動作がより生じにくい。
【００１７】
またこのテーパは、発光部から発光した光が広がり、受発光面を構成する導光体の内側面に反射し、受光部に入る光路をなくしている。
【００１８】
第４の発明は、第１ないし第３の発明の導光体おいて、該導光体にさらに、発光部の下面に設けた発光素子から発光部に入射した光を反射して対向する受光部に向ける反射部、及び受光部に入射した光を反射して受光部の下面に設けた受光素子に向ける反射部をそれぞれ一体に設けたものである。
【００１９】
第４の発明のように、発光部の下面に設けた発光素子から発光部に入射した光を反射して対向する受光部へ放射し、または受光部に入射した光を反射して受光部の下面に設けた受光素子に導く反射部をそれぞれ一体に設けている場合には、発光素子及び受光素子と導光体とを重ねることができ、発光素子及び受光素子が導光体からはみ出さないので、発光素子及び受光素子を導光体からはみ出して導光体の側面から光を入射させる場合に比較して、装置を小形化できる。また、反射部を導光体に一体に形成するので、構成を簡素化することができる。
【００２０】
第５の発明は、第１の発明ないし第４の発明において、材質にアクリル樹脂、ＡＢＳ樹脂、ポリカーボネートなどの赤外光に対して透明な樹脂を使用したものである。第５の発明で規定したような樹脂を使用することにより、導光体を安価に一体成形でき、また赤外光の伝達ロスを低減できる。
【００２１】
第６の発明は、複数個の発光素子と受光素子とを対向させるように光学式タッチパネル表面の周囲に配置して、発光素子から受光素子に到る光を遮光することにより物体の位置または有無を検出する光学的位置検出装置において、上記光学式タッチパネル表面の周囲に枠状に取り付けられ、光学式タッチパネル表面の周囲に配置される上記複数個の発光素子と受光素子とをチップタイプで構成して、これらを面状に実装した基板と、該基板上に装着される第１の発明ないし第４の発明の導光体とを備えたものである。
【００２２】
第６の発明のように、発光素子と受光素子とをチップタイプで構成し、これらを基板に面状に実装している場合には、発光素子と受光素子とをディスクリートタイプで構成し、そのリードを半田付けして立体的に実装する場合に比較して、実装が容易で低コスト化が図れ、しかも平面的となるため実装厚みを薄くでき、装置の小形化が図れる。また、集光部を有する導光体に光が導かれるので、光出力が弱く集光力の小さなチップタイプの受発光素子を用いても、伝達ロスを少なくし、検出光量を増加することができるので、受発光素子間の距離を延ばすことができる。
【発明の効果】
【００２３】
本発明の導光体によれば、集光部、空隙部、反射部などを導光体に一体形成するようにしたので、構造が簡単で、光の伝達ロスを低減できる。また、集光部を設けたので検出光量を増すことができる。また、スリットを設けた場合には、光の光の回り込みや拡散を有効に防止することができる。また、空隙部やテーパを設けた場合には、外乱光の導光体への入射を軽減できる。そして、反射部を設けた場合には、受発光素子と導光体とを上下に重ねることができるので、装置の小形化を図ることができる。
【００２４】
また、上記導光体を使用した本発明の光学的位置検出装置によれば、ワンタッチで組立ができる。また、装置の薄形化、実装コストの低減、及び小形、低電力化が図れる。また、電池駆動が可能となりポータブル用途にも使用できる。さらに受発光部間の距離が取れるので、受発光量の小さなチップタイプの受発光素子を用いた場合でも大型検出装置に適用できる。
【発明を実施するための最良の形態】
【００２５】
以下に本発明の実施の形態について説明する。図１は本実施の形態の光学的位置検出装置の分解図であり、（ａ）は導光体の平面図、（ｂ）は基板の平面図である。図２は導光体の要部の斜視図である。
【００２６】
光学式位置検出装置は、光学式タッチパネル表面３０の周囲に枠状に取り付けられる基板３１と、基板３１上に重ねて装着される光を導く導光体２１とから主に構成される。
【００２７】
四角枠形状をもつ基板３１には、光学式タッチパネル表面の周囲に配置されるべき複数個の発光素子３２と受光素子３３とが実装される。図示例では上辺及び左辺に発光素子３２が実装され、これらに対向する下辺及び右辺に受光素子３３が実装される。受発光素子３２、３３は、凹面鏡なしのベアチップタイプで構成され、これらが受発光面を上にして、基板３１に面状に実装される。受発光素子３２、３３にチップタイプを使用して面状に基板３１に実装しているので、実装が容易で低コスト化が図れ、しかも平面的となり実装厚みを薄くできる。なお、受発光素子３２、３３には赤外域のものを使う。
【００２８】
導光体２１は、光学式タッチパネル表面３０の周囲に装着するために、基板３１と同じく、四角枠状に形成され、赤外光に対して透明な材質、例えばアクリル樹脂、ＡＢＳ樹脂、ポリカーボネート等で形成される。
【００２９】
この導光体２１には、その外周に複数のスリット２２が繰返し設けられ、スリット２２間に、発光素子３２からの光を導いて対向する受光部１６へ放射する複数の発光部１５と、発光部１５からの光を入射して受光素子３３へ導く複数の受光部１６とが形づくられるようになっている。スリット２２は、発光部１５から受光部１６への光の回り込みを防止するとともに、各発光部１５及び各受光部１６での光の拡散を防止する。なお、スリット２２は、発光部１５側では深く、受光部１６側では浅くしてあるため、導光体２１の形状は左右対称にはなっていない。
【００３０】
スリット２２に光の回り込み防止機能だけをもたせるのであれば、スリット２２は、少なくとも発光部１５と受光部１６との境界、すなわち図１（ａ）に示したＡ、Ｂの２箇所に形成すれば足りる。これは各一対の発光素子３２と受光素子３３とを順次走査していくので、発光部間、受光部間での光の回り込みは考慮しなくてもよいためである。
【００３１】
発光部１５には、発光部１５の下面に配置する発光素子３２から発光部１５に入射した光を９０°の角度で反射して、タッチパネル表面３０と平行な向きに変え、対向する受光部１６へ放射する反射部２３が一体に設けられる。また受光部１６にも、受光部１６に入射した光を９０°の角度で反射して、受光部１６の下面に配置する受光素子３３に向ける反射部２３を一体に設けてある。これらの反射部２３は、外側に突出した格好になっている発光部１５及び受光部１６の端面を、斜めにカットすることにより形成することができる。必要であれば、カット面に反射膜を塗布してもよい。
【００３２】
また、導光体２１の発光部１５及び受光部１６の光路の途中に、発光部１５または受光部１６に侵入した外乱光を屈折させて発光部１５または受光部１６の外に逃すために屈折率の異なる層を介在させるための空隙部２５を形成してある。空隙部２５は、空隙部２５の内側に形成される内枠３６を導光体２１と接続しておくために、不連続に形成してある。この空隙部２５には導光体２１を構成する材質よりも屈折率の小さな空気層または他の層を介在させるとよい。
【００３３】
この空隙部２５を構成する壁面のうち、外側の面を曲面２６にしてレンズ効果をもたせ、発光部側空隙部２５の一側に、対向する受光部１６へ放射する光を集光し、受光部側空隙部２５の一側に受光素子３３へ導く光を集光する集光部２４をそれぞれ一体に設ける。導光体２１に集光部２４を設けて散乱防止と集光を行ない、検出光量を増やすようにしたので、凹面鏡をもたないベアタイプの微弱光素子でも対向する受発光素子間の距離を実用範囲で延ばすことが可能となる。また、受発光素子の受発光量の多いものを選択する必要もなくなる。特に、凹面鏡付受発光素子を使用すれば、さらに距離を延ばすことができるので、小形の検出装置にとどまらず、大型の検出装置にも適用することができるようになる。
【００３４】
空隙部２５の曲面２６は、これと対向する平面２９と同様に鏡面仕上とする。また、発光部側の集光部２４の焦点が受光部１６の受光面２８に、受光部側の集光部２４の焦点が受光素子３３にそれぞれ形成されるように、各曲面２６の曲率を決定する。なお、図示例では、発光部１５の発光面２７または受光部１６の受光面２８を構成する導光体２１の内側面は、光路と垂直になるようにカットしてある。
【００３５】
以上説明した光学的位置検出装置の要部構成の斜視図を示したのが図２である。同図に示すように、導光体２１は、その受発光部１５、１６の反射部２３側の下面に受発光素子３２、３３が配置されるように、基板３１上に接着など適宜の手段により装着される。また、導光体２１に空隙部２５が形成されることにより、空隙部２５の内側に連続した内枠３６が形成されるが、この内枠３６は導光体２１の補強、及びタッチパネル表面の周囲の目隠しになる。なお、導光体２１は射出成形などにより一体形成する。
【００３６】
さて、上述したような基板３１に導光体２１を装着した本実施の形態の光学式位置検出装置において、基板３１に実装された発光素子３２から出た上向きの光は、図３に矢印で示すように、導光体２１の発光部１５の下面から導光体２１に入射する。導光体２１に入射した光は反射部２３で反射して９０°向きを変えられ、集光部２４に導かれて集光される。この集光部２４とスリット２２とが相俟って光の散乱を防止する。したがって、微弱光でも十分大きな光量を取り出すことができる。集光部２４で集光された光は、空隙部２５を通って発光部１５の発光面２７から一度導光体２１を出て受光部１６に向けて放射される。受光部１６の受光面２８より再び導光体２１に入射した光は、空隙部２５を通過して反射部２３に到り、ここで反射して９０°向きを変えられ、受光部１６の下面から出射して、受光部１６の下面に配置されている受光素子３３で検出される。
【００３７】
ここで、外乱光２０が同図に示す角度で、受光部１６の受光面２８より受光部１６に入った場合には、その光は空隙部２５によって曲げらるので、受光素子３３に到る前に、受光部１５から出てしまう。このため、空隙部２５がない場合のように、導光体２１に入射した外乱光２０が導光体２１の上下面で反射を繰返して受光素子３３に届いてしまうようなことが少なくなり、その結果、外乱光による誤動作を低減できる。なお、この効果は、発光部１５においても言えることであり、発光部１５に入射した外乱光２０が光源である発光素子３２に影響を与えることが少なくなる。
【００３８】
また、受発光素子３２、３３の上部は導光体２１の発光部１５及び受光部１６で覆われているので、上方から来る外乱光は発光部１５及び受光部１６により遮光され、直接受発光素子３２、３３に外乱光が入射することがないので、この点からも外乱光による誤動作を低減することができる。
【００３９】
以上述べたように本実施の形態によれば、受発光素子を導光体で覆って光を導光体で導くようにしたので、従来のような可視光カットフィルタを必要としない。また、水平方向の光の向きを垂直方向に変える反射部、光の拡散を防止する光路を形成するためのスリット、光を集光する集光部、外乱光の侵入を軽減する空隙部等を一体形成した導光体を使用することにより光の伝達ロスをなくし、かつ集光することにより検出光量を増やし、しかも外乱光の侵入を軽減できるようにしたので、受発光素子に受発光量の少ない低出力で小形のベアチップタイプを採用することができ、導光体を使用しない従来例と比較して、実装コストの低減、薄形化、小形かつ安価な装置を作ることができる。また低電力であるため電池駆動が可能となり、ポータブル用途にも使用できる。また、特に凹面鏡を有するチップタイプの受発光素子を用いれば、より大きな受発光量が得られて受発光間の距離が取れるので、チップタイプの受発光素子でありながら、より大型の検出装置にも適用することができる。
【００４０】
なお、上述した実施の形態では、発光部１５の発光面２７または受光部１６の受光面２８を構成する導光体２１の両内側面を、光路と垂直になるようにカットしたが、図４に示すように、対向する内側面が断面ハの字になるように、斜めにカットして内側面にテーパ３４を形成するとよい。このようにテーパ３４を形成すると、上方から導光体２１に入り込む外乱光の光量をより有効に減らすことができる。
【００４１】
また、図６のように対向する内側面が断面ハの字の逆になるようにカットして内側面にテーパ３４を形成すると、発光部から発光した光が広がり、発光部と垂直方向のテーパに反射し、受光部に入る光量を低減させることが可能である。
【００４２】
また、上述した実施の形態では受発光部１５、１６に空隙部２５を設けるようにしたが、図５に示すように、外乱光防止機能は低下するけれども、空隙部２５を省略し、内枠の内側面にレンズ効果のある曲面を形成することにより内枠を集光部２４としてもよい。
【００４３】
また、上述した実施の形態では、受発光部１５、１６の端面に反射部２３を設けて、光を導光体２１の下面から入射させ、導光体２１の下面に出射するようにしたが、図６に示すように、受発光部１５、１６の端面を垂直カットとして反射部を設けないようにしてもよい。その場合には、受発光素子３２、３３は、導光体２１の下面ではなく、端面と対向する位置に配置する必要がある。これによれば導光体２１と受発光素子３２、３３が同一面上に来るので、受発光素子３２、３３を導光体２１の下面に配置したものよりも、装置の外径は大きくなるが、厚みを薄くすることができる。
【００４４】
また、同図に示すように、タッチパネル表面３０を保護するために、タッチパネル表面３０を覆う接触パネル３５を、受発光部１５、１６よりも一段低くダウンセットして導光体２１と一体に形成するようにしてもよい。
【００４５】
なお、本実施の形態による導光体は左右非対称としたが、使い勝手をよくするために、左右対称に形成してもよい。
【００４６】
本発明は、例えば交通用ナビゲーションシステムの光学式位置検出装置に最適である。
【実施例】
【００４７】
次の仕様の光学式位置検出装置を作製した。
【００４８】
・チップタイプ発光ダイオード：スタンレー社製、型番AN1102W 外形3mm(W)×1.5mm(H)×1.5mm(D) 出力0.8mW/Sr( 放射強度) 
・チップタイプ受光ダイオード：スタンレー社製、型番PS110W 外形3mm(W)×2mm(H)×1.5mm(D) 感度3.5mA(光電流) 
・導光体の寸法：縦113.7mm ×横144.2mm ×厚さ3mm 
・導光体の材質：三菱レーヨン社製、アクリライト 
・受発光素子を実装した基板上に導光体を装着した全厚さ：6.1mm 
これによりベアチップタイプの受発光素子でも、受発光素子間に十分な距離をとれ、実用に耐えることが確認できた。
【図面の簡単な説明】
【００４９】
【図１】本発明の実施の形態の光学的位置検出装置の分解図であり、（ａ）は導光体の平面図、（ｂ）は基板の平面図である。
【図２】本実施の形態の導光体の要部の斜視図である。
【図３】本実施の形態の光学的位置検出装置の光路の説明図である。
【図４】他の実施の形態による光学的位置検出装置の導光体の発光面または受光面にテーパを付けたときの外乱光の説明図である。
【図５】他の実施の形態の導光体の要部の斜視図である。
【図６】他の実施の形態の光学的位置検出装置の要部の斜視図である。
【図７】従来例の光学的位置検出装置の平面図である。
【図８】従来例のディスクリートタイプの受発光素子の説明図である。
【図９】従来例のチップタイプの受発光素子の説明図である。
【図１０】従来例の受発光素子を可視光カットフィルタで覆った説明図である。
【符号の説明】
【００５０】
２１ 導光体
２２ スリット
２３ 反射部
２４ 集光部
２５ 空隙部
２６ 曲面
２７ 発光面
２８ 受光面
３０ 光学式タッチパネル面
３１ 基板
３２ 発光素子
３３ 受光素子
【図１】
2004272931.tif 000003
【図２】
2004272931.tif 000004
【図３】
2004272931.tif 000005
【図４】
2004272931.tif 000006
【図５】
2004272931.tif 000007
【図６】
2004272931.tif 000008
【図７】
2004272931.tif 000009
【図８】
2004272931.tif 000010
【図９】
2004272931.tif 000011
【図１０】
2004272931.tif 000012